(57)【要約】      （修正有）【課題】自動車のリアゲートやスライドドアを自動車の下部に足等を挿入することにより開閉させる装置において、夜間、足等の挿入を検知する物体検知手段の位置がわかりやすくなるリアゲートまたはスライドドア開閉装置を提供する。【解決手段】足等の挿入を検知する物体検知手段に反射型のフォトセンサー２と照明用にＬＥＤ３を使用する。フォトセンサー２とＬＥＤ３は、センサー収納ケース１に収納されている。センサー収納ケース１の底面は、開放状態である。フォトセンサー２の光の反射量の変化で足等の挿入を検知する。ＬＥＤ３はフォトセンサー２の検知位置に光軸を合わせている。このＬＥＤ３の光により、夜間、足等を挿入する位置がわかり、足等を挿入しやすくなる。【選択図】図１
0003188820.tif 000002
【実用新案登録請求の範囲】
【請求項１】
自動車の下部に足等を挿入することにより、リアゲートやスライドドアを開閉する装置において、少なくとも足等の挿入を検知する物体検知手段と、前記物体検知手段の位置を示す照明を備えたものあって、前記照明を点灯させることで前記物体検知手段の位置がわかり、足等を挿入しやすくなることを特徴とするリアゲートまたはスライドドア開閉装置。
【請求項２】
前記リアゲートまたはスライドドア開閉装置において、前記物体検知手段がフォトセンサーであった場合、該フォトセンサーが汚れ、検出能力が低下した場合、前記照明を点滅させることで、該フォトセンサーを清掃するよう促すことを特徴とする請求項１に記載のリアゲートまたはスライドドア開閉装置。
【考案の詳細な説明】
【技術分野】
【０００１】本考案は、自動車のリアゲートやスライドドアを自動車の下部に足等を挿入することにより、開閉させる装置であって、足等の挿入を検知する物体検知手段の位置がわかりやすいように、照明を備えたリアゲートまたはスライドドア開閉装置に関するものである。
【背景技術】
【０００２】従来、この種の装置としては、自動車のリアゲートやスライドドアを自動車の下部に足等を挿入することにより、開閉させる装置が知られている。
しかし、夜間、足等の挿入を検知する物体検知手段の位置がわかりにくい。【０００３】また、前記物体検知手段がフォトセンサーであった場合、該フォトセンサーが汚れ、検出能力が低下した場合、該フォトセンサーを清掃するよう促す手段を別に設ける必要があった。
【考案の概要】
【考案が解決しようとする課題】
【０００４】解決しようとする問題点は、自動車のリアゲートやスライドドアを自動車の下部に足等を挿入することにより、開閉させる装置において、夜間、足等の挿入を検知する物体検知手段の位置がわかりにくいことである。
また、前記物体検知手段がフォトセンサーであった場合、該フォトセンサーが汚れ、検出能力が低下した場合、該フォトセンサーを清掃するよう促す手段を提供する別に設ける必要があったことである。
【課題を解決するための手段】
【０００５】本考案は、自動車の下部に足等を挿入することにより、リアゲートやスライドドアを開閉する装置において、少なくとも足等の挿入を検知する物体検知手段と、前記物体検知手段の位置を示す照明を備えたものあって、前記照明を点灯させることで前記物体検知手段の位置がわかり、足等を挿入しやすくなることを特徴とするリアゲートまたはスライドドア開閉装置である。【０００６】また、前記リアゲートまたはスライドドア開閉装置において、前記物体検知手段がフォトセンサーであった場合、該フォトセンサーが汚れ、検出能力が低下した場合、前記照明を点滅させることで、該フォトセンサーを清掃するよう促すことを特徴とするリアゲートまたはスライドドア開閉装置である。
【考案の効果】
【０００７】本考案のリアゲートまたはスライドドア開閉装置は、自動車のリアゲートやスライドドアを自動車の下部に足等を挿入することにより、開閉させる装置において、物体検知手段の位置を示す照明を備えることで、夜間、足等の挿入を検知する物体検知手段の位置がわかりやすくなるという利点がある。【０００８】また、前記リアゲートまたはスライドドア開閉装置において、前記物体検知手段がフォトセンサーであった場合、該フォトセンサーが汚れ、検出能力が低下した場合、前記照明を点滅させることで、該フォトセンサーを清掃するよう促すことで別に警告装置を設ける必要がないという利点がある。
【図面の簡単な説明】
【０００９】
【図１】リアゲートまたはスライドドア開閉装置の足等の挿入を検知する物体検知手段の構成図である。
【図２】リアゲート開閉装置のセンサーユニットを自動車のリアゲート開閉用にバンパーの下部に実装した構成図である。
【考案を実施するための形態】
【実施例】
【００１０】図１は、本考案装置の実施の形態に係るリアゲートまたはスライドドア開閉装置の足等の挿入を検知する物体検知手段の構成図である。本考案装置の実施の形態に係る足等の挿入を検知する物体検知手段に反射型のフォトセンサー２と照明用にＬＥＤ３を使用した。前記フォトセンサー２とＬＥＤ３は、センサー収納ケース１に収納されている。センサー収納ケース１の底面は、開放状態である。【００１１】フォトセンサー２の光の反射量の変化で足等の挿入を検知する。ＬＥＤ３は前記フォトセンサー２の検知位置に光軸を合わせている。このＬＥＤ３の光により、夜間、足等を挿入する位置がわかりやすい。【００１２】フォトセンサー２が埃等で汚れ、検出能力が低下した場合、ＬＥＤ３を点滅させることで、フォトセンサー２を清掃するよう促すことができる。【００１３】図２は、本考案装置の実施の形態に係るリアゲート開閉装置のセンサーユニット４を自動車５のリアゲート開閉用にバンパー６の下部に実装した構成図である。
図２の検知位置７に足等を挿入するとセンサーユニット４が検知し、リアゲートが開閉する。
【産業上の利用可能性】
【００１４】本考案装置は、荷物を両手で持って両手が使用できない状態でも、足等を使用し、容易にリアゲートやスライドドアを開閉できる装置に用いることができる。また、リアゲートやスライドドア開閉装置において、前記物体検知手段がフォトセンサーであった場合、該フォトセンサーが汚れ、検出能力が低下した場合、前記照明を点滅させることで、該フォトセンサーを清掃するよう促すことができるリアゲートまたはスライドドア開閉装置である。
【符号の説明】
【００１５】  １    センサー収納ケース
２    フォトセンサー
３    ＬＥＤ
４    センサーユニット
５    自動車
６    バンパー
７    検知位置
【図１】
0003188820.tif 000003
【図２】
0003188820.tif 000004
【手続補正書】
【提出日】平成25年11月13日(2013.11.13)
【手続補正１】
【補正対象書類名】実用新案登録請求の範囲
【補正対象項目名】全文
【補正方法】変更
【補正の内容】
【実用新案登録請求の範囲】
【請求項１】
自動車の下部に足等を挿入することにより、リアゲートやスライドドアを開閉する装置において、少なくとも足等の挿入を検知する物体検知手段と、前記物体検知手段の位置を示す照明を備えたものであって、前記照明を点灯させることで前記物体検知手段の位置がわかり、足等を挿入しやすくなることを特徴とするリアゲートまたはスライドドア開閉装置。
【請求項２】
前記リアゲートまたはスライドドア開閉装置において、前記物体検知手段としてフォトセンサーで構成され、該フォトセンサーが汚れ、検出能力が低下した場合、前記照明を点滅させることで、該フォトセンサーを清掃するよう促すことを特徴とする請求項１に記載のリアゲートまたはスライドドア開閉装置。